(57)【要約】  無線端末（１）は、ネットワーク（１００）と接続可能な条件においてネットワーク（１００）からの要求および無線設定を受信すること、当該要求は、当該無線設定の送信を要求する。当該無線設定は、ネットワーク（１００）に接続できない条件の第２の無線端末（２）とのサイドリンク通信（１０２）のための無線パラメータを含む。当該サイドリンク通信は、ダイレクト・ディスカバリ及びダイレクト通信の少なくとも一方を含む。無線端末（１）は、さらに、当該要求に応答して、当該無線設定を送信するよう構成されるとともに、当該無線設定を受信した当該第２の無線端末（２）との間で当該無線設定に従う当該サイドリンク通信を実行できるよう構成されている。これにより、例えば、パーシャルカバレッジでのサイドリンク通信の改良に寄与することができる。
2016142974.tif 000002
【特許請求の範囲】
【請求項１】
少なくとも１つの無線トランシーバと、
前記少なくとも１つの無線トランシーバに結合された少なくとも１つのプロセッサと、
を備え、
前記少なくとも１つのプロセッサは、ネットワークと接続可能な条件において前記ネットワークからの要求および無線設定を前記少なくとも１つの無線トランシーバを介して受信するよう構成され、ここで、前記要求は、前記無線設定の送信を要求し、前記無線設定は、前記ネットワークに接続できない条件の第２の無線端末とのサイドリンク通信のための無線パラメータを含み、前記サイドリンク通信は、ダイレクト・ディスカバリ及びダイレクト通信の少なくとも一方を含み、
前記少なくとも１つのプロセッサは、前記無線設定を前記少なくとも１つの無線トランシーバを介して送信するよう構成され、
前記少なくとも１つのプロセッサは、前記無線設定を受信した前記第２の無線端末との間で前記無線設定に従う前記サイドリンク通信を前記少なくとも１つの無線トランシーバを介して実行できるよう構成されている、
無線端末装置。
【請求項２】
前記少なくとも１つのプロセッサは、前記サイドリンク通信の起動が可能であるか否かを前記ネットワークに返信するよう構成されている、
請求項１に記載の無線端末装置。
【請求項３】
前記少なくとも１つのプロセッサは、同期信号を送信することを条件に、前記無線設定を送信するよう構成されている、
請求項１又は２に記載の無線端末装置。
【請求項４】
無線端末装置であって、
少なくとも１つの無線トランシーバと、
前記少なくとも１つの無線トランシーバに結合された少なくとも１つのプロセッサと、
を備え、
前記少なくとも１つのプロセッサは、ネットワークに接続できない条件の場合に、前記ネットワークと接続可能な条件にある第１の無線端末から送信される無線設定を受信するよう構成され、ここで、前記無線設定は、前記ネットワークに接続できない条件の前記無線端末装置が前記ネットワークと接続可能な条件にある前記第１の無線端末とサイドリンク通信を行うための無線パラメータを含み、前記サイドリンク通信は、ダイレクト・ディスカバリ及びダイレクト通信の少なくとも一方を含み、
前記少なくとも１つのプロセッサは、前記第１の無線端末との間で前記無線設定に従う前記サイドリンク通信を前記少なくとも１つの無線トランシーバを介して行うよう構成されている、
無線端末装置。
【請求項５】
前記少なくとも１つのプロセッサは、前記ネットワークと接続できない条件になりそうであることを検出した場合に、周辺の無線端末によって送信される第１の信号の受信を試行するよう構成され、
前記少なくとも１つのプロセッサは、前記第１の信号の受信に成功した場合に、前記第１の信号の識別子又は前記第１の信号の送信元の無線端末を示す識別子を前記ネットワークに報告するよう構成されている、
請求項４に記載の無線端末装置。
【請求項６】
前記少なくとも１つのプロセッサは、前記第１の無線端末から送信される同期信号の受信に成功した場合、前記無線設定を受信するよう構成されている、
請求項４又は５に記載の無線端末装置。
【請求項７】
ネットワーク内に配置されるネットワーク装置であって、
メモリと、
前記メモリに結合された少なくとも１つのプロセッサと、
を備え、
前記少なくとも１つのプロセッサは、前記ネットワークと接続可能な条件にある第１の無線端末に対して要求および無線設定を送信するよう構成され、
前記要求は、前記無線設定の送信を前記第１の無線端末に要求し、
前記無線設定は、前記ネットワークに接続できない条件の第２の無線端末とのサイドリンク通信のための無線パラメータを含み、
前記サイドリンク通信は、ダイレクト・ディスカバリ及びダイレクト通信の少なくとも一方を含む、
ネットワーク装置。
【請求項８】
第１の無線端末によって行われる方法であって、
ネットワークと接続可能な条件において前記ネットワークからの要求および無線設定を受信すること、ここで、前記要求は、前記無線設定の送信を要求し、前記無線設定は、前記ネットワークに接続できない条件の第２の無線端末とのサイドリンク通信のための無線パラメータを含み、前記サイドリンク通信は、ダイレクト・ディスカバリ及びダイレクト通信の少なくとも一方を含み、及び
前記無線設定を送信すること、
を備える、方法。
【請求項９】
前記サイドリンク通信の起動が可能であるか否かを前記ネットワークに返信することをさらに備える、
請求項８に記載の方法。
【請求項１０】
前記送信することは、同期信号を送信することを条件に、前記無線設定を送信することを含む、
請求項８又は９に記載の方法。
【請求項１１】
第２の無線端末によって行われる方法であって、
ネットワークに接続できない条件の場合に、前記ネットワークと接続可能な条件にある第１の無線端末から送信される無線設定を受信すること、ここで、前記無線設定は、前記ネットワークに接続できない条件の前記第２の無線端末が前記ネットワークと接続可能な条件にある前記第１の無線端末とサイドリンク通信を行うための無線パラメータを含み、前記サイドリンク通信は、ダイレクト・ディスカバリ及びダイレクト通信の少なくとも一方を含み、及び
前記第１の無線端末との間で前記無線設定に従う前記サイドリンク通信を行うこと、
を備える、方法。
【請求項１２】
前記ネットワークと接続できない条件になりそうであることを検出した場合に、周辺の無線端末によって送信される第１の信号の受信を試行すること、及び
前記第１の信号の受信に成功した場合に、前記第１の信号の識別子又は前記第１の信号の送信元の無線端末を示す識別子を前記ネットワークに報告すること、
をさらに備える、
請求項１１に記載の方法。
【請求項１３】
前記受信することは、前記第１の無線端末から送信される同期信号の受信に成功した場合、前記無線設定を受信することを含む、
請求項１１又は１２に記載の方法。
【請求項１４】
ネットワーク内に配置されるネットワーク装置によって行われる方法であって、
前記ネットワークと接続可能な条件にある第１の無線端末に対して要求および無線設定を送信すること、ここで、前記要求は、前記無線設定の送信を前記第１の無線端末に要求し、前記無線設定は、前記ネットワークに接続できない条件の第２の無線端末とのサイドリンク通信のための無線パラメータを含み、前記サイドリンク通信は、ダイレクト・ディスカバリ及びダイレクト通信の少なくとも一方を含む、
方法。
【請求項１５】
第１の無線端末によって行われる方法をコンピュータに行わせるためのプログラムを格納した非一時的なコンピュータ可読媒体であって、
前記方法は、
ネットワークと接続可能な条件において前記ネットワークからの要求および無線設定を受信すること、ここで、前記要求は、前記無線設定の送信を要求し、前記無線設定は、前記ネットワークに接続できない条件の第２の無線端末とのサイドリンク通信のための無線パラメータを含み、前記サイドリンク通信は、ダイレクト・ディスカバリ及びダイレクト通信の少なくとも一方を含み、
前記無線設定を送信すること、及び
前記無線設定を受信した前記第２の無線端末との間で前記無線設定に従う前記サイドリンク通信を行うこと、
を備える、
非一時的なコンピュータ可読媒体。
【請求項１６】
第２の無線端末によって行われる方法をコンピュータに行わせるためのプログラムを格納した非一時的なコンピュータ可読媒体であって、
前記方法は、
ネットワークに接続できない条件の場合に、前記ネットワークと接続可能な条件にある第１の無線端末から送信される無線設定を受信すること、ここで、前記無線設定は、前記ネットワークに接続できない条件の前記第２の無線端末が前記ネットワークと接続可能な条件にある前記第１の無線端末とサイドリンク通信を行うための無線パラメータを含み、前記サイドリンク通信は、ダイレクト・ディスカバリ及びダイレクト通信の少なくとも一方を含み、及び
前記第１の無線端末との間で前記無線設定に従う前記サイドリンク通信を行うこと、
を備える、
非一時的なコンピュータ可読媒体。
【発明の詳細な説明】
【技術分野】
【０００１】
本出願は、Proximity-based services（ProSe）に関し、特に無線端末間のダイレクトインタフェースを用いて行われるダイレクト・ディスカバリ及びダイレクト通信に関する。
【背景技術】
【０００２】
3GPP Release 12は、Proximity-based services（ProSe）について規定している（例えば、非特許文献１を参照）。ProSeは、ProSeディスカバリ（ProSe discovery）及びProSeダイレクト通信（ProSe direct communication）を含む。ProSeディスカバリは、無線端末が近接していること（in proximity）の検出を可能にする。ProSeディスカバリは、ダイレクト・ディスカバリ（ProSe Direct Discovery）及びネットワークレベル・ディスカバリ（EPC-level ProSe Discovery）を含む。【０００３】
ProSeダイレクト・ディスカバリは、ProSeを実行可能な無線端末（ProSe-enabled UE）が他のProSe-enabled UEをこれら２つのUEが有する無線通信技術（例えば、Evolved Universal Terrestrial Radio Access (E-UTRA) technology）の能力だけを用いて発見する手順により行われる。これに対して、EPC-level ProSe Discoveryでは、コアネットワーク（Evolved Packet Core (EPC)）が２つのProSe-enabled UEsの近接を判定し、これをこれらのUEsに知らせる。ProSeダイレクト・ディスカバリは、３つ以上のProSe-enabled UEsにより行われてもよい。【０００４】
ProSeダイレクト通信は、ProSeディスカバリ手順の後に、ダイレクト通信レンジ内に存在する２以上のProSe-enabled UEsの間の通信パスの確立を可能にする。言い換えると、ProSeダイレクト通信は、ProSe-enabled UEが、基地局（eNodeB）を含む公衆地上移動通信ネットワーク（Public Land Mobile Network (PLMN)）を経由せずに、他のProSe-enabled UEと直接的に通信することを可能にする。ProSeダイレクト通信は、基地局（eNodeB）にアクセスする場合と同様の無線通信技術（E-UTRA technology）を用いて行われてもよいし、wireless local area network (WLAN)の無線技術（つまり、IEEE 802.11 radio technology）を用いて行われてもよい。【０００５】
3GPP Release 12では、ProSe functionが公衆地上移動通信ネットワーク（PLMN）を介してProSe-enabled UEと通信し、ProSeディスカバリ及びProSeダイレクト通信を支援（assist）する。ProSe functionは、ProSeのために必要なPLMNに関連した動作に用いられる論理的な機能（logical function）である。ProSe functionによって提供される機能（functionality）は、例えば、（ａ）third-party applications（ProSe Application Server）との通信、（ｂ）ProSeディスカバリ及びProSeダイレクト通信のためのUEの認証、（ｃ）ProSeディスカバリ及びProSeダイレクト通信のための設定情報（例えば、EPC-ProSe-User IDなど）のUEへの送信、並びに（ｄ）ネットワークレベル・ディスカバリ（i.e., EPC-level ProSe discovery）の提供、を含む。ProSe functionは、１又は複数のネットワークノード又はエンティティに実装されてもよい。本明細書では、ProSe functionを実行する１又は複数のネットワークノード又はエンティティを“ProSe function エンティティ”又は“ProSe functionサーバ”と呼ぶ。【０００６】
上述したように、ProSeダイレクト・ディスカバリ及びProSeダイレクト通信は、UE間のダイレクトインタフェースにおいて行われる。当該ダイレクトインタフェースは、PC5インタフェース又はサイドリンク（sidelink）と呼ばれる。以下、本明細書では、ダイレクト・ディスカバリ及びダイレクト通信のうち少なくとも一方を含む通信を「サイドリンク通信」と呼ぶ。【０００７】
UEは、サイドリンク通信を行う前に、ProSe functionと通信することが必要とされる（非特許文献１を参照）。ProSeダイレクト通信及びProSeダイレクト・ディスカバリを行うために、UEは、ProSe functionと通信し、PLMNによる認証情報を予めProSe functionから取得しなければならない。さらに、ProSeダイレクト・ディスカバリの場合、UEは、ディスカバリ・リクエストをProSe functionに送信しなければならない。具体的には、サイドリンクでのディスカバリ情報の送信（アナウンス）を希望する場合、UEは、アナウンスのためのディスカバリ・リクエストをProSe functionに送信する。一方、サイドリンクでのディスカバリ情報の受信（モニター）を希望する場合、UEは、モニターのためのディスカバリ・リクエストをProSe functionに送信する。そして、ディスカバリ・リクエストが成功した場合、UEは、UE間ダイレクトインタフェース（e.g., サイドリンク又はPC5インタフェース）においてディスカバリ情報を送信すること又は受信することが許可される。【０００８】
サイドリンク通信のための無線リソースのUEへの割り当ては、無線アクセスネットワーク（e.g., Evolved Universal Terrestrial Radio Access Network（E-UTRAN））によって行われる（非特許文献１及び２を参照）。ProSe functionによってサイドリンク通信を許可されたUEは、無線アクセスネットワークノード（e.g., eNodeB）によって設定された無線リソースを使用してProSeダイレクト・ディスカバリ又はProSeダイレクト通信を行う。非特許文献２のセクション23.10及び23.11は、サイドリンク通信のための無線リソースのUEへの割り当ての詳細を記載している。【０００９】
ProSeダイレクト通信に関しては、２つのリソース割り当てモード、つまりScheduled resource allocation 及び Autonomous resource selectionが規定されている。ProSeダイレクト通信のScheduled resource allocationでは、UEがeNodeBにリソース割り当てを要求し、eNodeBがサイドリンク・コントロール及びデータのためのリソースをUEにスケジュールする。具体的には、UEはスケジューリング・リクエスト をa ProSe Buffer Status Report（BSR）共にeNodeBに送る。【００１０】
一方、ProSeダイレクト通信のAutonomous resource selectionでは、UEは、リソースプールの中から、サイドリンク・コントロール及びデータのためのリソースを自律的に選択する。eNodeBは、System Information Block（SIB）18において、Autonomous resource selectionに使用するためのリソースプールをUEに割り当ててもよい。なお、eNodeBは、Radio Resource Control (RRC)_CONNECTEDのUEに対して、個別（dedicated）RRCシグナリングで、Autonomous resource selectionに使用するためのリソースプールを割り当ててもよい。このリソースプールは、UEがRRC_IDLEであるときにも利用可能であってもよい。【００１１】
ProSeダイレクト・ディスカバリに関しても、２つのリソース割り当てモード、つまりScheduled resource allocation 及び Autonomous resource selectionが規定されている。ProSeダイレクト・ディスカバリのAutonomous resource selectionでは、のディスカバリ情報の送信（アナウンス）を希望するUEがアナウンス用のリソースプールの中から自律的に無線リソースを選択する。リソースプールは、ブロードキャスト（SIB 19）又はデディケイテッドなシグナリング（RRCシグナリング）でUEに設定される。【００１２】
一方、ProSeダイレクト・ディスカバリのScheduled resource allocationでは、UEがアナウンス用のリソース割り当てをRRCシグナリングでeNodeBに要求する。eNodeBは、モニター用にUEsに設定されたリソースプールの中からアナウンス用のリソースをUEに割り当てる。Scheduled resource allocationが使用される場合、eNodeBは、SIB 19においてProSeダイレクト・ディスカバリのモニター用のリソースの提供をサポートするが、アナウンスメント用のリソースは提供しないことを示す。【００１３】
さらに、3GPP Release 12は、一方のUEがネットワークカバレッジ外であり、他方のUEがネットワークカバレッジ内であるパーシャルカバレッジ・シナリオについて規定している（例えば、非特許文献１のセクション4.4.3、4.5.4および5.4.4を参照）。パーシャルカバレッジ・シナリオにおいて、カバレッジ外のUEはremote UEと呼ばれ、カバレッジ内かつremote UEとネットワークを中継するUEはProSe UE-to-Network Relayと呼ばれる。ProSe UE-to-Network Relayは、remote UEとネットワーク（E-UTRAN及びEPC）との間でトラフィック（ダウンリンク及びアップリンク）を中継する。【００１４】
より具体的に述べると、ProSe UE-to-Network Relayは、UEとしてネットワークにアタッチし、ProSe function エンティティ又はその他のPacket Data Network（PDN）と通信するためのPDN connectionを確立し、ProSeダイレクト通信を開始するためにProSe function エンティティと通信する。ProSe UE-to-Network Relayは、さらに、remote UEとの間でディスカバリ手順を実行し、UE間ダイレクトインタフェース（e.g., サイドリンク又はPC5インタフェース）においてremote UEと通信し、remote UEとネットワークとの間でトラフィック（ダウンリンク及びアップリンク）を中継する。Internet Protocol version 4（IPv4）が用いられる場合、ProSe UE-to-Network Relayは、Dynamic Host Configuration Protocol Version 4 (DHCPv4) Server及びNetwork Address Translation (NAT) として動作する。IPv6が用いられる場合、ProSe UE-to-Network Relayは、stateless DHCPv6 Relay Agentとして動作する。本明細書では、ProSe UE-to-Network RelayのようなProSe機能および中継機能を持つ無線端末を「リレー無線端末」又は「リレーUE」と呼ぶ。また、リレー無線端末（リレーUE）による中継サービスを受ける無線端末を「リモート無線端末」又は「リモートUE」と呼ぶ。【００１５】
なお、3GPP Release 12のProSeは、複数の無線端末の地理的な位置の近接に基づいて提供される近接サービス（Proximity-based services（ProSe））の１つの具体例である。公衆地上移動通信ネットワーク（PLMN）における近接サービスは、3GPP Release 12のProSeと同様に、ネットワークに配置された機能又はノード（例えば、ProSe function）によって支援されるディスカバリ・フェーズ及びダイレクト通信フェーズを含む。ディスカバリ・フェーズでは、複数の無線端末の地理的位置の近接が判定又は検出される。ダイレクト通信フェーズでは複数の無線端末によってダイレクト通信が行われる。ダイレクト通信は、近接する複数の無線端末の間で公衆地上移動通信ネットワーク（PLMN）を介さずに行われる通信である。ダイレクト通信は、device-to-device (D2D) 通信、又はpeer-to-peer通信と呼ばれることもある。本明細書で使用される“ProSe”との用語は、3GPP Release 12のProSeに限定されず、ディスカバリ及びダイレクト通信の少なくとも一方を含む近接サービス通信を意味する。また、本明細書で使用される“近接サービス通信”及び“ProSe通信”との用語の各々は、ディスカバリ及びダイレクト通信の少なくとも一方を意味する。【００１６】
本明細書で使用する公衆地上移動通信ネットワーク（PLMN）との用語は、広域な無線インフラストラクチャネットワークであり、多元接続方式の移動通信システムを意味する。多元接続方式の移動通信システムは、時間、周波数、及び送信電力のうち少なくとも１つを含む無線リソースを複数の移動端末の間で共有することで、複数の移動端末が実質的に同時に無線通信を行うことを可能としている。代表的な多元接続方式は、Time Division Multiple Access（TDMA）、Frequency Division Multiple Access（FDMA）、Code Division Multiple Access（CDMA）、若しくはOrthogonal Frequency Division Multiple Access（OFDMA）又はこれらの組み合わせである。公衆地上移動通信ネットワークは、無線アクセスネットワークおよびコアネットワークを含む。公衆地上移動通信ネットワークは、例えば、3GPP Universal Mobile Telecommunications System（UMTS）、3GPP Evolved Packet System（EPS）、3GPP2 CDMA2000システム、Global System for Mobile communications（GSM（登録商標））/ General packet radio service（GPRS）システム、WiMAXシステム、又はモバイルWiMAXシステムである。EPSは、Long Term Evolution（LTE）システム及びLTE-Advancedシステムを含む。
【先行技術文献】
【特許文献】
【００１７】
【特許文献１】国際公開第２０１４／０５０８８６号
【非特許文献】
【００１８】
【非特許文献１】3GPP TS 23.303 V12.3.0 (2014-12), “3rd Generation Partnership Project; Technical Specification Group Services and System Aspects; Proximity-based services (ProSe); Stage 2 (Release 12)”, 2014年12月
【非特許文献２】3GPP TS 36.300 V12.4.0 (2014-12), “3rd Generation Partnership Project; Technical Specification Group Radio Access Network; Evolved Universal Terrestrial Radio Access (E-UTRA) and Evolved Universal Terrestrial Radio Access Network (E-UTRAN);Overall description; Stage 2 (Release 12)”, 2014年12月
【発明の概要】
【発明が解決しようとする課題】
【００１９】
3GPP Release 12は、パーシャルカバレッジでのサイドリンク通信（つまりリレーUEとリモートUEの間のサイドリンク通信）の開始手順について具体的に記載していない。また、3GPP Release 12は、パーシャルカバレッジのサイドリンク通信において使用される無線パラメータ（e.g., 無線リソース）の決定について具体的に規定していない。【００２０】
一方、特許文献１は、パーシャルカバレッジでのサイドリンク通信について記載している。具体的には、一例において、UE（リモートUE候補）は、基地局からの受信品質が低下した場合に、ダイレクト・ディスカバリの準備をネットワークに要求する。ネットワークは、当該UEからの要求に応答して、リレーUEを決定し、リレーUEにダイレクト・ディスカバリ動作の開始を要求する。リレーUEは、ネットワークからの要求に従って、ダイレクト・ディスカバリのための探索信号のアナウンス（送信）を開始するか、又はリモートUEから送信される探索信号のモニター（受信）を開始する。【００２１】
さらに、特許文献１は、リレーUEとリモートUEの間のダイレクト・ディスカバリ及びダイレクト通信に使用される無線リソースがUEによって選択されてもよいし基地局によって選択されてもよいと記載している。しかしながら、特許文献１は、基地局によって選択された無線リソースをどのようにリモートUEに知らせるのかについて具体的に記載していない。【００２２】
本明細書に開示される実施形態が達成しようとする目的の１つは、パーシャルカバレッジでのサイドリンク通信の改良に寄与する装置、方法、及びプログラムを提供することである。
【課題を解決するための手段】
【００２３】
第１の態様では、無線端末装置は、少なくとも１つの無線トランシーバ、及び前記少なくとも１つの無線トランシーバに結合された少なくとも１つのプロセッサを含む。前記少なくとも１つのプロセッサは、ネットワークと接続可能な条件において前記ネットワークからの要求および無線設定を前記少なくとも１つの無線トランシーバを介して受信するよう構成されている。ここで、前記要求は、前記無線設定の送信を要求し、前記無線設定は、前記ネットワークに接続できない条件の第２の無線端末とのサイドリンク通信のための無線パラメータを含み、前記サイドリンク通信は、ダイレクト・ディスカバリ及びダイレクト通信の少なくとも一方を含む。前記少なくとも１つのプロセッサは、さらに、前記無線設定を前記少なくとも１つの無線トランシーバを介して送信するよう構成され、前記無線設定を受信した前記第２の無線端末との間で前記無線設定に従う前記サイドリンク通信を前記少なくとも１つの無線トランシーバを介して実行できるよう構成されている。【００２４】
第２の態様では、無線端末装置は、少なくとも１つの無線トランシーバ、及び前記少なくとも１つの無線トランシーバに結合された少なくとも１つのプロセッサを含む。前記少なくとも１つのプロセッサは、ネットワークに接続できない条件の場合に、前記ネットワークと接続可能な条件にある第１の無線端末から送信される無線設定を受信するよう構成されている。ここで、前記無線設定は、前記ネットワークに接続できない条件の前記無線端末装置が前記ネットワークと接続可能な条件にある前記第１の無線端末とサイドリンク通信を行うための無線パラメータを含み、前記サイドリンク通信は、ダイレクト・ディスカバリ及びダイレクト通信の少なくとも一方を含む。前記少なくとも１つのプロセッサは、さらに、前記第１の無線端末との間で前記無線設定に従う前記サイドリンク通信を前記少なくとも１つの無線トランシーバを介して行うよう構成されている。【００２５】
第３の態様では、ネットワーク装置は、メモリ、及び前記メモリに結合された少なくとも１つのプロセッサを含む。前記少なくとも１つのプロセッサは、前記ネットワークと接続可能な条件にある第１の無線端末に対して要求および無線設定を送信するよう構成されている。前記要求は、前記無線設定の送信を前記第１の無線端末に要求する。前記無線設定は、前記ネットワークに接続できない条件の第２の無線端末とのサイドリンク通信のための無線パラメータを含む。前記サイドリンク通信は、ダイレクト・ディスカバリ及びダイレクト通信の少なくとも一方を含む。【００２６】
第４の態様では、第１の無線端末によって行われる方法は、
（ａ）ネットワークと接続可能な条件において前記ネットワークからの要求および無線設定を受信すること、ここで、前記要求は、前記無線設定の送信を要求し、前記無線設定は、前記ネットワークに接続できない条件の第２の無線端末とのサイドリンク通信のための無線パラメータを含み、前記サイドリンク通信は、ダイレクト・ディスカバリ及びダイレクト通信の少なくとも一方を含み、及び
（ｂ）前記無線設定を送信すること、
を含む。【００２７】
第５の態様では、第２の無線端末によって行われる方法は、
（ａ）ネットワークに接続できない条件の場合に、前記ネットワークと接続可能な条件にある第１の無線端末から送信される無線設定を受信すること、ここで、前記無線設定は、前記ネットワークに接続できない条件の前記第２の無線端末が前記ネットワークと接続可能な条件にある前記第１の無線端末とサイドリンク通信を行うための無線パラメータを含み、前記サイドリンク通信は、ダイレクト・ディスカバリ及びダイレクト通信の少なくとも一方を含み、及び
（ｂ）前記第１の無線端末との間で前記無線設定に従う前記サイドリンク通信を行うこと、
を含む。【００２８】
第６の態様では、ネットワーク内に配置されるネットワーク装置によって行われる方法は、前記ネットワークと接続可能な条件にある第１の無線端末に対して要求および無線設定を送信することを含む。前記要求は、前記無線設定の送信を前記第１の無線端末に要求する。前記無線設定は、前記ネットワークに接続できない条件の第２の無線端末とのサイドリンク通信のための無線パラメータを含む。前記サイドリンク通信は、ダイレクト・ディスカバリ及びダイレクト通信の少なくとも一方を含む。【００２９】
第７の態様では、プログラムは、コンピュータに読み込まれた場合に、上述の第４、第５、又は第６の態様に係る方法をコンピュータに行わせるための命令群（ソフトウェアコード）を含む。
【発明の効果】
【００３０】
上述の態様よれば、パーシャルカバレッジでのサイドリンク通信の改良に寄与する装置、方法、及びプログラムを提供できる。
【図面の簡単な説明】
【００３１】
【図１】いくつかの実施形態に係る公衆地上移動通信ネットワークの構成例を示す図である。
【図２】いくつかの実施形態に係る公衆地上移動通信ネットワークの構成例を示す図である。
【図３】第１の実施形態に係るリレーUEの動作の一例を示すフローチャートである。
【図４】第１の実施形態に係るリモートUEの動作の一例を示すフローチャートである。
【図５】第１の実施形態に係るサイドリンク通信手順の一例を示すシーケンス図である。
【図６】第２の実施形態に係るリレーUEの動作の一例を示すフローチャートである。
【図７】第２の実施形態に係るリモートUEの動作の一例を示すフローチャートである。
【図８】第３の実施形態に係るリモートUEの動作の一例を示すフローチャートである。
【図９】第３の実施形態に係るサイドリンク通信手順の一例を示すシーケンス図である。
【図１０】いくつかの実施形態に係るリレーUEの構成例を示すブロック図である。
【図１１】いくつかの実施形態に係る制御装置（e.g., ProSe functionエンティティ）の構成例を示すブロック図である。
【発明を実施するための形態】
【００３２】
以下では、具体的な実施形態について、図面を参照しながら詳細に説明する。各図面において、同一又は対応する要素には同一の符号が付されており、説明の明確化のため、必要に応じて重複説明は省略される。
【００３３】
以下に示される複数の実施形態は、Evolved Packet System（EPS）を主な対象として説明される。しかしながら、これらの実施形態は、EPSに限定されるものではなく、他のモバイル通信ネットワーク又はシステム、例えば3GPP UMTS、3GPP2 CDMA2000システム、GSM/GPRSシステム、及びWiMAXシステム等に適用されてもよい。
【００３４】
＜第１の実施形態＞
図１は、本実施形態に係るネットワークの構成例を示している。リレーUE１及びリモートUE２は共にProSeが可能な無線端末（ProSe-enabled UE）であり、端末間ダイレクトインタフェース（i.e., PC5インタフェース又はサイドリンク）１０２上でサイドリンク通信を行うことができる。当該サイドリンク通信は、ProSeダイレクト・ディスカバリ及びProSeダイレクト通信の少なくとも一方を含む。サイドリンク通信は、基地局（eNodeB）３１にアクセスする場合と同様の無線通信技術（E-UTRA technology）を用いて行われる。
【００３５】
リレーUE１は、リモートUE２とPLMN１００（E-UTRAN３及びEPC４）との間でトラフィック（ダウンリンク及びアップリンク）を中継する。幾つかの実装において、リレーUE１は、EPC４にアタッチし、ProSe function エンティティ５と通信するためのPDN connectionを確立し、サイドリンク通信を開始するためにProSe function エンティティ５と通信してもよい。リレーUE１は、例えば、ProSe function エンティティ５によって提供されるネットワークレベル・ディスカバリ（i.e., EPC-level ProSe Discovery）を利用してもよいし、ダイレクト・ディスカバリ又はダイレクト通信のリレーUE１における起動（有効化、activation）を許可することを示すメッセージをProSe function エンティティ５から受信してもよい。リレーUE１は、さらに、ProSe function エンティティ５とは異なる他のPacket Data Network（PDN）と通信するためのPDN connectionを確立し、当該PDNのノードと通信してもよい。
【００３６】
リモートUE２は、リレーUE１との間のダイレクトインタフェース（i.e., PC5インタフェース又はサイドリンク）１０２を介して、ProSe function エンティティ５又は他のPDNのノードと通信する。図１の例では、リモートUE２は、eNodeB３１のセル３２の外に位置している（アウト・オブ・カバレッジ）。しかしながら、リモートUE２は、セル３２内に位置してもよく、何らかの条件（例えば、ユーザーによる選択）に基づいてPLMN１００に接続不能な状態であってもよい。リモートUE２は、PLMN１００に接続できない条件の場合に（e.g., カバレッジ外）、リレーUE１とのサイドリンク通信を行う。
【００３７】
なお、本明細書では、便宜上、リレーUE１とリモートUE２の間のサイドリンク通信を「パーシャルカバレッジでのサイドリンク通信」と呼ぶ。しかしながら、本明細書における「パーシャルカバレッジでのサイドリンク通信」は、リモートUE２が様々な要因によってPLMN１００に接続できない条件にある場合のカバレッジ内のリレーUE１とリモートUE２とのサイドリンク通信を含む。本明細書における「パーシャルカバレッジでのサイドリンク通信」は、ProSe UE-to-Network Relayingと呼ぶこともできる。
【００３８】
リモートUE２がPLMN１００に接続不能であることは、PLMN１００内のいずれかのeNodeB３１から送信される無線信号の受信品質（e.g., Reference Signal Received Power（RSRP）又はReference Signal Received Quality（RSRQ））が所定の閾値以下であることにより判定されてもよい。言い換えると、リモートUE２は、PLMN１００の無線信号を正常に受信できないことにより、PLMN１００に接続不能であることを判定してもよい。これに代えて、リモートUE２は、eNodeB３１からの無線信号を受信できるものの、PLMN１００への接続（e.g., EPC４へのアタッチ）を拒絶された場合に、PLMN１００に接続不能であることを判定してもよい。これに代えて、リモートUE２は、PLMN１００への接続が許可されるものの、ProSe functionエンティティ５との通信を正常に行えない場合に、PLMN１００に接続不能であることを判定してもよい。これに代えて、リモートUE２は、ユーザの指示又はPLMN１００内の制御装置（e.g., ProSe functionエンティティ５、又はOperation Administration and Maintenance（OAM）サーバ）の指示により強制的にPLMN１００との接続を切断又は不活性化（deactivate）する場合に、PLMN１００に接続不能であることを判定してもよい。
【００３９】
eNodeB３１は、無線アクセスネットワーク（i.e., E-UTRAN）３内に配置されたエンティティであり、セル３２を管理し、E-UTRA technologyを用いてリレーUE１と通信（１０１）することができる。
【００４０】
コアネットワーク（i.e., EPC）４は、複数のユーザープレーン・エンティティ（e.g., Serving Gateway (S-GW)及びPacket Data Network Gateway (P-GW)）、及び複数のコントロールプレーン・エンティティ（e.g., Mobility Management Entity（MME）及びHome Subscriber Server（HSS））を含む。複数のユーザープレーン・エンティティは、E-UTRAN３と外部ネットワーク（PDN）との間でリレーUE１及びリモートUE２のユーザデータを中継する。複数のコントロールプレーン・エンティティは、リレーUE１のモビリティ管理、セッション管理（ベアラ管理）、加入者情報管理、及び課金管理を含む様々な制御を行う。
【００４１】
図２は、パーシャルカバレッジでのサイドリンク通信（ProSe UE-to-Network Relaying）で利用される参照点（Reference points）を示している。参照点は、インタフェースと呼ばれることもある。図２は、リレーUE１及びリモートUE２が同じPLMN１００のサブスクリプションを利用する非ローミング・アーキテクチャ（non-roaming architecture）を示している。しかしながら、リモートUE２のHome PLMN（HPLMN）は、リレーUE１のHPLMNと異なってもよい。パーシャルカバレッジでのサイドリンク通信（ProSe UE-to-Network Relaying）の主要な用途の１つとしてpublic safety用途が想定されている。例えばpublic safety用途では、PLMN１００内のリレーUE１がPLMN１００とのサブスクリプションを持たないリモートUE２とサイドリンク通信を行ってもよい。
【００４２】
PC1参照点は、リレーUE１及びリモートUE２の各々のProSeアプリケーションとProSeアプリケーションサーバ６との間の参照点である。PC1参照点は、アプリケーションレベルのシグナリングに対する要件（requirements）を定義するために使用される。PC1参照点は、EPC４のユーザープレーンに依存しており、UE１とProSeアプリケーションとProSeアプリケーションサーバ６との間の通信は、EPC４のユーザープレーン上で転送される。したがって、ProSeアプリケーションサーバ６は、SGi参照点を介してEPC４（つまり、P-GW）と通信する。
【００４３】
PC2参照点は、ProSeアプリケーションサーバ６とProSe function エンティティ５との間の参照点である。PC2参照点は、ProSe function エンティティ５を介して3GPP EPSによって提供されるProSe機能（ProSe functionality）とProSeアプリケーションサーバ６との間のインタラクションを定義するために使用される。
【００４４】
PC3参照点は、リレーUE１及びリモートUE２の各々とProSe function エンティティ５との間の参照点である。PC3参照点は、UE（リレーUE及びリモートUE２）とProSe function エンティティ５との間のインタラクション（e.g., UE registration、application registration、及び ProSe Direct Discovery and EPC-level ProSe Discovery requestsの承認（authorization））を定義するために使用される。PC3参照点は、EPC４のユーザープレーンに依存しており、UE１とProSe function エンティティ５との間のProSe 制御シグナリングはEPC４のユーザープレーン上で転送される。したがって、ProSe function エンティティ５は、SGi参照点を介してEPC４（つまり、P-GW）と通信する。
【００４５】
PC4a参照点は、EPC４内のHSSとProSe function エンティティ５との間の参照点である。当該参照点は、例えば、ProSeサービスに関する加入者情報を取得するためにProSe function エンティティ５によって使用される。
【００４６】
PC5参照点は、既に説明されているように、ProSe-enabled UEsの間の参照点であり、ProSe Direct Discovery、ProSe Direct Communication、及び ProSe UE-to-Network Relayのコントロールプレーン及びユーザープレーンのために使用される。本実施形態に係るリレーUE１及びリモートUE２は、PC5参照点においてダイレクト・ディスカバリ及びダイレクト通信の少なくとも一方を含むサイドリンク通信を行う。
【００４７】
続いて以下では、本実施形態に係るパーシャルカバレッジでのサイドリンク通信手順について説明する。図３は、パーシャルカバレッジでのサイドリンク通信に関するリレーUE１の動作の一例（処理３００）を示すフローチャートである。ブロック３０１では、PLMN１００と接続可能な条件（e.g., PLMN１００のカバレッジ内）においてPLMN１００からサイドリンク通信の無線設定、及び当該無線設定の送信要求を受信する。PLMN１００と接続可能な条件は、少なくともリレーUE１がPLMN１００のカバレッジ内（e.g., セル３２内）であることを含む。言い換えると、「リレーUE１がPLMN１００のカバレッジ内（e.g., セル３２内）であること」は、リレーUE１がPLMN１００と接続可能な条件であることの必要条件であり、必要十分条件であってもよい。PLMN１００と接続可能な条件は、リレーUE１がカバレッジ内（e.g., セル３２内）であることに加えて、ユーザによる選択によってリレーUE１のPLMN１００への接続が禁止されていないことを含んでもよい。なお以下では、PLMN１００と接続可能な条件は、リレーUE１がPLMN１００のカバレッジ内にあることを意味するものとして説明する。
【００４８】
当該送信要求は、後述されるように、eNodeB３１、EPC４内のMME、ProSe functionエンティティ５、又はPLMN１００に結合されたOperation Administration and Maintenance（OAM）サーバから送信されてもよい。いくつかの実装において、当該送信要求は、リモートUE２がカバレッジ外になったこと又はカバレッジ外になりそうであることをネットワーク（e.g., eNodeB３１、MME、又はProSe functionエンティティ５）が検出した場合に送信されてもよい。さらに又はこれに代えて、当該送信要求は、リモートUE２からの通知（e.g., カバレッジ外になりそうであること示す）をPLMN１００において受信したことに応答して送信されてもよい。さらに又はこれに代えて、当該送信要求は、ネットワーク設備がダウンしたこと又はダウンするおそれがあることをネットワーク内の制御装置（e.g., eNodeB３１、MME、ProSe functionエンティティ５、又はOAMサーバ）が検出した場合に送信されてもよい。
【００４９】
当該送信要求は、サイドリンク通信の起動要求であってもよい。言い換えると、当該送信要求はサイドリンク通信の起動を意味してもよい。リレーUE１は、サイドリンク通信の起動要求の受信に応答して、当該サイドリンク通信の開始に先立って、当該無線設定の送信を行ってもよい。
【００５０】
当該無線設定は、PLMN１００に接続できない条件のリモートUE２とのサイドリンク通信（i.e., パーシャルカバレッジでのサイドリンク通信）のための無線設定を示す。当該無線設定は、ダイレクト通信に使用するための無線リソース（e.g., 周波数リソース、時間リソース、リソースブロック、若しくは送信電力、又はこれらの任意の組み合せ）の指定を含む。当該無線設定は、送信要求と共に同一のノードからリレーUE１に送信されてもよいし、送信要求の送信ノードとは異なるノードからリレーUE１に送信されてもよい。
【００５１】
ある実装において、ブロック３０１での無線設定は、周波数バンド識別子、中心周波数（E-UTRA Absolute Radio Frequency Channel Number（EARFCN））、最大送信電力（P-MAX-ProSe）、Time Division Duplex（TDD）アップリンク−ダウンリンク構成、リソースブロック（Physical Resource Blocks（PRBs））の数、開始PRBのオフセット、終了PRBのオフセット、のうち少なくとも１つを指定してもよい。
【００５２】
ある実装において、ブロック３０１での無線設定は、eNodeB３１からSystem Information Block（SIB）19において送信されるダイレクト・ディスカバリのAutonomous resource selectionに使用するためのリソースプールを含んでもよい。この場合、リレーUE１は、SIB19で指定されたリソースプールの中から、ダイレクト・ディスカバリにおいてディスカバリ・メッセージ（ディスカバリ信号）をアナウンス（送信）又はモニター（受信）するためのリソースを自律的に選択してもよい。
【００５３】
これに代えて、ダイレクト・ディスカバリの無線設定のために、Scheduled resource allocationが使用されてもよい。例えば、リレーUE１は、ProSe functionエンティティ５から送信要求を受信したことに応答して、アナウンス用のリソース割り当てをRRCシグナリングでeNodeB３１に要求してもよい。eNodeB３１は、リレーUE１の要求に応答して、アナウンス用の無線リソースをRRCシグナリングでリレーUE１に通知してもよい。すなわち、ブロック３０１での無線設定は、ダイレクト・ディスカバリのアナウンスのためeNodeB３１による個別（dedicated）無線リソース割り当てを含んでもよい。
【００５４】
ある実装において、ブロック３０１での無線設定は、eNodeB３１からSystem Information Block（SIB）18において送信されるダイレクト通信のAutonomous resource selectionに使用するためのリソースプールの指定を含んでもよい。この場合、リレーUE１は、SIB18で指定されたリソースプールの中から、サイドリンク・コントロール及びデータのためのリソースを自律的に選択してもよい。
【００５５】
これに代えて、リレーUE１は、ダイレクト通信のための無線設定の受信に先立って、当該無線設定をeNodeB３１に要求してもよい。例えば、リレーUE１は、ProSe functionエンティティ５から送信要求を受信したことに応答して、ProSeダイレクト通信に関心があることを示すProSe Direct indicationをeNodeB３１に送信してもよい。eNodeB３１は、当該ProSe Direct indicationに応答して、ProSeダイレクト通信のAutonomous resource selectionに使用するためのリソースプールを個別（dedicated）RRCシグナリングを用いてリレーUE１に割り当ててもよい。
【００５６】
これに代えて、パーシャルカバレッジでのProSeダイレクト通信のためにScheduled resource allocationが使用されてもよい。この場合、リレーUE１は、a ProSe Buffer Status Report（BSR）を伴うスケジューリング・リクエストをeNodeB３１に送信してもよい。eNodeB３１は、当該スケジューリング・リクエストに応答して、ProSeダイレクト通信のScheduled resource allocationに従って、サイドリンク・コントロール及びデータのためのリソース（i.e., 無線設定）をリレーUE１にスケジュールしてもよい。すなわち、ブロック３０１での無線設定は、ダイレクト通信のためeNodeB３１による個別（dedicated）無線リソース割り当てを含んでもよい。
【００５７】
ブロック３０２では、リレーUE１は、ブロック３０１の送信要求に応答して、ブロック３０１の無線設定を送信する。ブロック３０３では、リレーUE１は、当該無線設定を受信したリモートUE２との間でサイドリンク通信を当該無線設定に従って行う。いくつかの実装において、リレーUE１は、PLMN１００に接続できない条件にあるリモートUE２を探索するためのダイレクト・ディスカバリのために、ブロック３０１の無線設定に従ってディスカバリ・メッセージ（ディスカバリ信号）のアナウンス（送信）又はモニター（受信）を行ってもよい。いくつかの実装において、リレーUE１は、ブロック３０１の無線設定に従ってリモートUE２とのダイレクト通信のための信号（e.g., Physical sidelink broadcast channel（PSBCH）、Physical sidelink control channel（PSCCH）、及びPhysical Sidelink Shared Channel（PSSCH））を送信又は受信してもよい。
【００５８】
いくつかの実装において、リレーUE１は、当該送信要求を受信した場合に、当該無線設定だけでなく、リモートUE２によって検出されるための同期信号（e.g., Sidelink Synchronization Signal）を併せて送信してもよい。
【００５９】
これに代えて、リレーUE１は、当該同期信号を既に送信している場合に（又は当該同期信号の送信条件を満たす場合に）、当該無線設定を送信してもよい。当該同期信号の送信条件の送信条件を満たさない場合、リレーUE１は、無線設定の送信要求を拒否（又は無視）してもよい。リレーUE１は、セル３２のセルエッジ（PLMN１００のカバレッジ境界）の近くにいる場合に、自発的に又はPLMN１００（e.g., eNodeB３１）の指示に従って、リモートUE２によって検出されるための同期信号を送信するよう構成されてもよい。例えば、リレーUE１は、eNodeB３１から送信される無線信号の受信品質（e.g., RSRP又はRSRQ）が閾値を下回る場合に自発的に同期信号を送信してもよい。
【００６０】
図４は、パーシャルカバレッジでのサイドリンク通信に関するリモートUE２の動作の一例（処理４００）を示すフローチャートである。ブロック４００では、リモートUE２は、PLMN１００に接続不能であることを検出する。例えば、リモートUE２は、eNodeB３１からのダウンリンク信号の受信品質（e.g., RSRP又はRSRQ）が所定の閾値以下であることにより、PLMN１００のカバレッジ外であることを判定してもよい。ブロック４０２では、リモートUE２は、PLMN１００のカバレッジ内のリレーUE１から送信される上述の無線設定を受信する。
【００６１】
ブロック４０３では、リモートUE２は、受信した無線設定に従って当該リモートUEとサイドリンク通信を行う。いくつかの実装において、リモートUE２は、ブロック４０２において受信した無線設定に従ってディスカバリ・メッセージ（ディスカバリ信号）のアナウンス（送信）又はモニター（受信）を行ってもよい。いくつかの実装において、リレーUE１は、ブロック４０２において受信した無線設定に従ってリレーUE１とのダイレクト通信のための信号（e.g., PSBCH、PSCCH、及びPSSCH）を送信又は受信してもよい。
【００６２】
図３及び図４を用いて説明したように、リレーUE１は、PLMN１００からの送信要求に応答して、PLMN１００から知らされたパーシャルカバレッジでのサイドリンク通信に関する無線設定を送信するよう構成されている。したがって、本実施形態によれば、パーシャルカバレッジでのサイドリンク通信のためにPLMN１００により決定された無線設定をリレーUEからリモートUEに知らせることができる。
【００６３】
図５は、本実施形態に係るパーシャルカバレッジでのサイドリンク通信手順の一例（処理５００）を示すシーケンス図である。ブロック５０１では、リモートUE２は、PLMN１００のカバレッジ外であること又はカバレッジ外になりそうなことを検出する。既に説明したように、リモートUE２は、PLMN１００に接続不能であること又は接続不能になりそうなことを検出してもよい。
【００６４】
ブロック５０２では、PLMN１００内の制御装置（e.g., eNodeB３１、MME、ProSe functionエンティティ５、又はOAMサーバ）は、リモートUE２がカバレッジ外であること又はカバレッジ外になりそうなことを検出する。既に説明したように、PLMN１００は、リモートUE２が接続するネットワーク、基地局（eNodeB）、又はセル等のネットワーク設備がダウンしたこと又はダウンするおそれがあることを検出してもよい。
【００６５】
ブロック５０３では、リモートUE２は、パーシャルカバレッジでのサイドリンク通信のための無線設定の受信を試行する。言い換えると、リモートUE２は、PLMN１００のカバレッジ内のいずれかのUEから送信されるサイドリンク通信のための無線設定の受信を試行する。
【００６６】
ブロック５０４では、PLMN１００内の制御装置（e.g., eNodeB３１、MME、ProSe functionエンティティ５、又はOAMサーバ）は、リレーUE１に送信要求を送信する。図５の例では、当該送信要求は、パーシャルカバレッジでのサイドリンク通信のための無線設定を含む。当該送信要求は、当該無線設定に従ってパーシャルカバレッジでのサイドリンク通信を開始することをリレーUE１に要求してもよい。
【００６７】
いくつかの実装において、PLMN１００は、リモートUE２が属していたセル又はその周辺セルのセルエッジに位置するUEをリレーUE１として選択してもよい。これに代えて、PLMN１００は、特定の基地局（eNodeB）又はセルがダウンする場合、ダウンする基地局又はセルの周辺セル内（特にそのセルエッジ）に位置するUEをリレーUE１として選択してもよい。これに代えて、あるオペレータのネットワーク（PLMN）がダウンする場合、他のPLMN（ここではPLMN１００）に接続しているUEをリレーUE１として選択してもよい。
【００６８】
いくつかの実装において、パーシャルカバレッジでのサイドリンク通信のための無線設定は、送信要求とは別のメッセージで、送信要求よりも前にリレーUE１に送信されてもよいし、送信要求よりも後にリレーUE１に送信されてもよい。例えば、パーシャルカバレッジでのサイドリンク通信のための無線設定がeNodeB３１によってセル３２内にSIB18又はSIB19を用いてブロードキャストされる場合、リレーUE１は、送信要求の受信よりも前にSIB18又はSIB19を受信していてもよいし、送信要求の受信に応答してSIB18又はSIB19を受信してもよい。
【００６９】
ブロック５０５では、リレーUE１は、ブロック５０４の送信要求に応答して、パーシャルカバレッジでのサイドリンク通信の起動が可能であるか否かをPLMN１００に返信する。例えば、リレーUE１は、バッテリー残量が少ない場合、又は負荷が高い場合に、送信要求を拒絶してもよい。なお、ブロック５０５の返信メッセージの送信は省略されてもよい。
【００７０】
ブロック５０６では、リレーUE１は、ブロック５０４の送信要求に応答して、PLMN１００から知らされた無線設定をリモートUE２のために送信する。
【００７１】
ブロック５０７では、リレーUE１は、PLMN１００から知らされた無線設定に従って、当該無線設定をリレーUE１から受信したリモートUE２との間でサイドリンク通信（i.e., ダイレクト・ディスカバリ若しくはダイレクト通信又はこれら両方）を行う。
【００７２】
＜第２の実施形態＞
本実施形態では、第１の実施形態で説明されたサイドリンク通信手順の変形例が説明される。本実施形態に係る公衆地上移動通信ネットワークの構成例は図１及び図２と同様である。本実施形態では、リレーUE１は、PLMN１００から知らされたパーシャルカバレッジでのサイドリンク通信のための無線設定を「事前設定された無線パラメータ」に従って送信する。リモートUE２は、事前設定された無線パラメータに従って当該無線設定をリレーUE１から受信した後に、PLMN１００からリレーUE１を介して知らされた無線設定に従うサイドリンク通信を開始する。
【００７３】
図６は、パーシャルカバレッジでのサイドリンク通信に関するリレーUE１の動作の一例（処理６００）を示すフローチャートである。ブロック６０１〜６０３における処理は、図３のブロック３０１〜３０３における処理と基本的に同様である。ただし、ブロック６０２では、リレーUE１は、PLMN１００から知らされたパーシャルカバレッジでのサイドリンク通信のための無線設定を「事前設定された無線パラメータ」に従って送信する。また、ブロック６０１の送信要求は、パーシャルカバレッジでのサイドリンク通信のための無線設定を、リレーUE１内に事前設定された無線パラメータに従って送信することをリレーUE１に要求してもよい。
【００７４】
図７は、パーシャルカバレッジでのサイドリンク通信に関するリモートUE２の動作の一例（処理７００）を示すフローチャートである。ブロック７０１〜７０３における処理は、図４のブロック４０１〜４０３における処理と基本的に同様である。ただし、ブロック７０２では、リモートUE２は、事前設定された無線パラメータに従って受信動作を行い、PLMN１００のカバレッジ内のリレーUE１から送信される上述の無線設定を事前設定された無線パラメータに従って受信する。
【００７５】
本実施形態で説明された「事前設定された無線パラメータ」は、例えば、周波数バンド識別子、中心周波数（EARFCN）、最大送信電力（P-MAX-ProSe）、Time Division Duplex（TDD）アップリンク−ダウンリンク構成、リソースブロック（PRBs）の数、開始PRBのオフセット、終了PRBのオフセット、のうち少なくとも１つを指定する。
【００７６】
当該事前設定された無線パラメータは、リレーUE１（又はリモートUE２）に実装された内蔵メモリ又はリレーUE１（又はリモートUE２）がインタフェースを介して通信することができる取り外し可能なメモリ（e.g., Universal Integrated Circuit Card（UICC））に格納される。内蔵メモリ又は取り外し可能なメモリは、揮発性（volatile）メモリ若しくは不揮発性（nonvolatile）メモリ又はこれらの組合せである。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。
【００７７】
UICCは、GSMシステム、UMTS、及びLTEシステム等のセルラー通信システムにおいて使用されるスマートカードである。UICCは、プロセッサ及びメモリを有し、ネットワーク認証のためのSubscriber Identity Module（SIM）アプリケーション又はUniversal Subscriber Identity Module （USIM）アプリケーションを実行する。UICCは厳密にはUIM、SIM、及びUSIMとは異なる。しかしながら、これらの用語はよく混在して用いられる。したがって、本明細書では主にUICCの用語を用いるが、本明細書中でのUICCの用語は、UIM、SIM、又はUSIM等を意味する場合もある。
【００７８】
図６及び図７を用いて説明したように、リレーUE１は、サイドリンク通信のための無線設定を“事前設定された無線パラメータ“に従って送信するよう構成されている。さらに、リモートUE２は、リレーUE１と同一の又は対応する事前設定された無線パラメータに従って、サイドリンク通信のための無線設定をリレーUE１から受信するよう構成されている。したがって、リモートUE２は、事前設定された無線パラメータ（e.g., 周波数及び時間）に従ってリレーUE１からの送信信号を受信すればよく、多くの周波数帯域または時間において受信動作を行う必要がない。よって、リレーUE１及びリモートUE２は、パーシャルカバレッジでのサイドリンク通信をより安定的に行うことができる。
【００７９】
なお、3GPP Release 12は、２つのUE（例えば、リレーUE１及びリモートUE２）が共にPLMN１００に接続できない条件（e.g., カバレッジ外）の場合に、これらのUEがMobile Equipment（ME）又はUICCに事前設定された無線パラメータ（e.g., Public Safety ProSe Carrier）を使用してPLMN１００の支援無しでのサイドリンク通信（i.e., out of coverage ProSe Direct Communication）を行うことを規定している（例えば、非特許文献２を参照）。本実施形態で説明されたパーシャルカバレッジでのサイドリンク通信のための「事前設定された無線パラメータ」は、PLMN１００の支援無しでのサイドリンク通信のための「事前設定された無線パラメータ」と共通であってもよい。言い換えると、パーシャルカバレッジでのサイドリンク通信のための「事前設定された無線パラメータ」は、リレーUE１及びリモートUE２が共にPLMN１００に接続できない条件の場合に、PLMN１００の支援無しでのサイドリンク通信を行うためにも使用されてもよい。これにより、リレーUE１及びリモートUE２に事前設定されるデータ量を削減できる。
【００８０】
＜第３の実施形態＞
本実施形態では、第１及び第２の実施形態で説明されたサイドリンク通信手順の変形例が説明される。本実施形態に係る公衆地上移動通信ネットワークの構成例は図１及び図２と同様である。本実施形態では、リモートUE２は、PLMN１００と接続できない条件（e.g., カバレッジ外）になりそうであることを検出した場合に、周辺のUEによって送信される第１の信号（e.g., 同期信号）の受信を試行するよう構成されている。さらに、リモートUE２は、当該第１の信号の受信に成功した場合に、当該第１の信号の識別子又は当該第１の信号の送信元UEを示す識別子をPLMN１００内のノード（e.g., eNodeB３１、MME、ProSe functionエンティティ５、OAMサーバ）に報告するよう構成されている。
【００８１】
いくつかの実装において、リレーUE１は、セル３２のセルエッジ（PLMN１００のカバレッジ境界）の近くにいる場合に、自発的に又はPLMN１００（e.g., eNodeB３１）の指示に従って、リモートUE２によって検出されるための同期信号（e.g., Sidelink Synchronization Signal）を送信してもよい。いくつかの実装において、リレーUE１は、eNodeB３１から送信される無線信号の受信品質（e.g., RSRP又はRSRQ）が閾値を下回る場合に自発的に同期信号を送信してもよい。いくつかの実装において、PLMN１００（e.g., eNodeB３１）は、セルエッジ近くに位置するリレーUE１を特定し、当該UEに対して同期信号の送信を指示してもよい。いくつかの実装において、PLMN１００（e.g., eNodeB３１）は、カバレッジ外になりそうであること示す報告（e.g., RRC measurement report）をリモートUE２から受信した場合に、セル３２のセルエッジ近くにいるリレーUE１に同期信号の送信を指示してもよい。
【００８２】
図８は、パーシャルカバレッジでのサイドリンク通信に関するリモートUE２の動作の一例（処理８００）を示すフローチャートである。ブロック８０１では、リモートUE２は、PLMN１００に接続できない条件（e.g., カバレッジ外）になりそうであることを検出する。ブロック８０２では、リモートUE２は、周辺UEから送信される同期信号の受信を試行する。いくつかの実装において、当該同期信号は、第２の実施形態で説明されたような事前設定された無線パラメータに従って送信されてもよい。ブロック８０３では、リモートUE２は、同期信号の受信に成功した場合に、同期信号の送信元UE（ここでは、リレーUE１）の識別子をネットワーク（PLMN１００）に送信する。ブロック８０４及び８０５における処理は、図４のブロック４０２及び４０３における処理と同様である。
【００８３】
図９は、本実施形態に係るパーシャルカバレッジでのサイドリンク通信手順の一例（処理９００）を示すシーケンス図である。ブロック９０１では、リモートUE２は、PLMN１００のカバレッジ外になりそうなことを検出する。
【００８４】
ブロック９０２では、リモートUE２はリレーUE１から送信される同期信号を検出する。既に説明したように、リレーUE１は、セル３２のセルエッジ近くにいる場合に、自発的に又はPLMN１００（e.g., eNodeB３１）の指示に従って、同期信号を送信してもよい。
【００８５】
ブロック９０３では、リモートUE２は、サイドリンク通信要求をPLMN１００内のノード（e.g., eNodeB３１、MME、ProSe functionエンティティ５、又はOAMサーバ）に送信する。当該サイドリンク通信要求は、ダイレクト・ディスカバリの要求であってもよいし、ダイレクト通信の要求であってもよい。当該サイドリンク通信要求は、さらに、ブロック９０２において検出された同期信号の送信元UE（i.e., リレーUE１）の識別子を含む。
【００８６】
PLMN１００内のノード（e.g., eNodeB３１、MME、ProSe functionエンティティ５、又はOAMサーバ）は、サイドリンク通信要求（ブロック９０４）の受信に応答して、パーシャルカバレッジでのサイドリンク通信を起動するべきリレーUEを選択し、選択されたリレーUEに対して送信要求を送信する（ブロック９０５）。PLMN１００内のノードは、サイドリンク通信要求（ブロック９０４）によってリモートUE２から通知された同期信号の送信元UEを選択すればよい。
【００８７】
ブロック９０４〜９０８の処理は、図５のブロック５０３〜５０７の処理と同様である。
【００８８】
本実施形態で説明された方法によれば、PLMN１００は、パーシャルカバレッジでのサイドリンク通信を起動するべきリレーUE１を容易に特定することができる。
【００８９】
最後に上述の実施形態に係るリレーUE１、リモートUE２、及びネットワーク内の制御装置（e.g., eNodeB３１、MME、ProSe functionエンティティ５、OAMサーバ）の構成例について説明する。図１０は、リレーUE１の構成例を示すブロック図である。リモートUE２も図１０と同様の構成を有してもよい。Radio Frequency（RF）トランシーバ１００１は、PLMN１００内のeNodeB３１と通信するためにアナログRF信号処理を行う。RFトランシーバ１００１は、さらに、UE１間のProSeダイレクト・ディスカバリ及びダイレクト通信のために使用されてもよい。RFトランシーバ１００１は、PLMN１００内のeNodeB３１との通信に使用される第１のトランシーバと、他のUE（e.g., リモートUE２）とのProSeダイレクト・ディスカバリ及びダイレクト通信に使用される第２のトランシーバを含んでもよい。RFトランシーバ１００１により行われるアナログRF信号処理は、周波数アップコンバージョン、周波数ダウンコンバージョン、及び増幅を含む。RFトランシーバ１００１は、アンテナ１００２及びベースバンドプロセッサ１００３と結合される。すなわち、RFトランシーバ１００１は、変調シンボルデータ（又はOFDMシンボルデータ）をベースバンドプロセッサ１００３から受信し、送信RF信号を生成し、送信RF信号をアンテナ１００２に供給する。また、RFトランシーバ１００１は、アンテナ１００２によって受信された受信ＲＦ信号に基づいてベースバンド受信信号を生成し、これをベースバンドプロセッサ１００３に供給する。
【００９０】
ベースバンドプロセッサ１００３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、(f) 拡散／逆拡散、及び(g) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００９１】
ベースバンドプロセッサ１００３は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）、又はMicro Processing Unit（MPU））を含んでもよい。この場合、コントロールプレーン処理を行うプロトコルスタック・プロセッサは、後述するアプリケーションプロセッサ１００４と共通化されてもよい。
【００９２】
アプリケーションプロセッサ１００４は、CPU、MPU、マイクロプロセッサ、又はプロセッサコアとも呼ばれる。アプリケーションプロセッサ１００４は、複数のプロセッサ（複数のプロセッサコア）を含んでもよい。アプリケーションプロセッサ１００４は、メモリ１００６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、UE１の各種機能を実現する。
【００９３】
いくつかの実装において、図１０に破線（１００５）で示されているように、ベースバンドプロセッサ１００３及びアプリケーションプロセッサ１００４は、１つのチップ上に集積されてもよい。言い換えると、ベースバンドプロセッサ１００３及びアプリケーションプロセッサ１００４は、１つのSystem on Chip（SoC）デバイス１００５として実装されてもよい。SoCデバイスは、システムLarge Scale Integration（LSI）またはチップセットと呼ばれることもある。
【００９４】
メモリ１００６は、揮発性メモリ若しくは不揮発性メモリ又はこれらの組合せである。メモリ１００６は、物理的に独立した複数のメモリデバイスを含んでもよい。揮発性メモリは、例えば、SRAM若しくはDRAM又はこれらの組み合わせである。不揮発性メモリは、例えば、MROM、PROM、フラッシュメモリ、若しくはハードディスクドライブ、又はこれらの組合せである。例えば、メモリ１００６は、ベースバンドプロセッサ１００３、アプリケーションプロセッサ１００４、及びSoC１００５からアクセス可能な外部メモリデバイスを含んでもよい。メモリ１００６は、ベースバンドプロセッサ１００３内、アプリケーションプロセッサ１００４内、又はSoC１００５内に集積された内蔵メモリデバイスを含んでもよい。さらに、メモリ１００６は、UICC内のメモリを含んでもよい。
【００９５】
メモリ１００６は、ProSeモジュール１００７を格納する。既に説明したようにメモリ１００６は、物理的に独立した複数のメモリデバイスを含んでもよく、これらのソフトウェア及びデータは、同じメモリデバイスに格納されてもよいし、異なるメモリデバイスに格納されてもよい。
【００９６】
ProSeモジュール１００７は、ベースバンドプロセッサ１００３又はアプリケーションプロセッサ１００４により実行されるソフトウェアモジュールを含む。これにより、ベースバンドプロセッサ１００３又はアプリケーションプロセッサ１００４は、ProSe functionエンティティ５、MME、及びeNodeB３１と通信し、PLMN１００のカバレッジ内においてPLMN１００に支援されたProSe通信（e.g., EPC-level ProSe Discovery、ProSe Direct Discovery、ProSe Direct Communication）、及びProSe通信に必要な登録手順を実行する。
【００９７】
さらに、ProSeモジュール１００７は、上述の実施形態で説明されたパーシャルカバレッジでのサイドリンク通信に関するリレーUE１の処理を実行するための命令群およびデータを含む。これにより、ベースバンドプロセッサ１００３又はアプリケーションプロセッサ１００４は、ProSeモジュール１００７を含むソフトウェアモジュール群をメモリ１００６から読み出して実行することで、上述の実施形態で説明されたリレーUE１の処理を行うことができる。
【００９８】
図１１は、ネットワーク内の制御装置（e.g., eNodeB３１、MME、ProSe functionエンティティ５、OAMサーバ）の構成例を示している。図１１を参照すると、当該制御装置は、ネットワークインタフェース１１０１、プロセッサ１１０２、及びメモリ１１０３を含む。ネットワークインタフェース１１０１は、リレーUE１と通信するために使用される。ネットワークインタフェース１１０１は、例えば、IEEE 802.3 seriesに準拠したネットワークインタフェースカード（NIC）を含んでもよい。
【００９９】
プロセッサ１１０２は、メモリ１１０３からソフトウェア（コンピュータプログラム）を読み出して実行することで、上述の実施形態においてシーケンス図及びフローチャートを用いて説明されたPLMN１００内の制御装置の処理（e.g., パーシャルカバレッジでのサイドリンク通信の無線設定の送信要求の送信）を行う。プロセッサ１１０２は、例えば、マイクロプロセッサ、MPU、又はCPUであってもよい。プロセッサ１１０２は、複数のプロセッサを含んでもよい。
【０１００】
メモリ１１０３は、揮発性メモリ及び不揮発性メモリの組み合わせによって構成される。メモリ１１０３は、プロセッサ１１０２から離れて配置されたストレージを含んでもよい。この場合、プロセッサ１１０２は、図示されていないI/Oインタフェースを介してメモリ１１０３にアクセスしてもよい。
【０１０１】
図１１の例では、メモリ１１０３は、ProSeモジュール１１０４を含むソフトウェアモジュール群を格納するために使用される。ProSeモジュール１１０４は、上述の実施形態において説明された制御装置の処理（e.g., パーシャルカバレッジでのサイドリンク通信の無線設定の送信要求の送信）を実行するための命令群およびデータを含む。プロセッサ１１０２は、ProSeモジュール１１０４を含むソフトウェアモジュール群をメモリ１１０３から読み出して実行することで、上述の実施形態において説明された制御装置の処理を行うことができる。
【０１０２】
図１０及び図１１を用いて説明したように、上述の実施形態に係るリレーUE１、リモートUE２、及びPLMN１００内の制御装置が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１０３】
＜その他の実施形態＞
上述の実施形態は、各々独立に実施されてもよいし、適宜組み合わせて実施されてもよい。
【０１０４】
上述の実施形態では、リレーUE１は、eNodeB３１から通知された無線設定に従って決定されたパーシャルカバレッジでのサイドリンク通信に使用される無線リソース（e.g., 周波数リソース）をeNodeB３１に通知してもよい。これにより、eNodeB３１は、リレーUE１とのアップリンク通信（１０１）又は他のUEとのアップリンク通信のスケジューリング（無線リソース割り当て）の際に、パーシャルカバレッジでのサイドリンク通信に使用される無線リソースを考慮することができる。なお、リレーUE１は、パーシャルカバレッジでのサイドリンク通信に使用される無線リソース（e.g., 周波数リソース）を他のノード（e.g., ProSe functionエンティティ５又はOAMサーバ）に通知してもよい。
【０１０５】
上述の実施形態では、サイドリンク通信のための無線設定の指定およびリレーUE１への通知がeNodeB３１によって行われる例を示した。しかしながら、当該無線設定の指定およびリレーUE１への通知は、他のノード（e.g., ProSe functionエンティティ５又はOAMサーバ）によって行われてもよい。
【０１０６】
上述の実施形態では、主にEPSに関する具体例を用いて説明を行った。しかしながら、これらの実施形態は、その他の移動通信システム、例えば、Universal Mobile Telecommunications System（UMTS）、3GPP2 CDMA2000システム（1xRTT、High Rate Packet Data（HRPD））、Global System for Mobile communications（GSM）/General packet radio service（GPRS）システム、及びモバイルWiMAXシステム等に適用されてもよい。この場合、上述の実施形態で説明されたeNodeB３１によって行われるサイドリンク通信に関する処理又は手順は、無線リソース管理機能を持つ無線アクセスネットワークノード（e.g., UMTSにおけるRadio Network Controller（RNC）、又はGSMシステムにおけるBase Station Controller（BSC））によって行われてもよい。
【０１０７】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１０８】
例えば、上記の実施形態の一部又は全部は、以下の付記のようにも記載され得るが、以下には限られない。
【０１０９】
（付記１）
少なくとも１つの無線トランシーバと、
前記少なくとも１つの無線トランシーバに結合された少なくとも１つのプロセッサと、
を備え、
前記少なくとも１つのプロセッサは、ネットワークと接続可能な条件において前記ネットワークからの要求および無線設定を前記少なくとも１つの無線トランシーバを介して受信するよう構成され、ここで、前記要求は、前記無線設定の送信を要求し、前記無線設定は、前記ネットワークに接続できない条件の第２の無線端末とのサイドリンク通信のための無線パラメータを含み、前記サイドリンク通信は、ダイレクト・ディスカバリ及びダイレクト通信の少なくとも一方を含み、
前記少なくとも１つのプロセッサは、前記無線設定を前記少なくとも１つの無線トランシーバを介して送信するよう構成され、
前記少なくとも１つのプロセッサは、前記無線設定を受信した前記第２の無線端末との間で前記無線設定に従う前記サイドリンク通信を前記少なくとも１つの無線トランシーバを介して実行できるよう構成されている、
無線端末装置。
【０１１０】
（付記２）
前記少なくとも１つのプロセッサは、前記サイドリンク通信の起動が可能であるか否かを前記ネットワークに返信するよう構成されている、
付記１に記載の無線端末装置。
【０１１１】
（付記３）
前記少なくとも１つのプロセッサは、事前設定された第１の無線パラメータに従って前記無線設定を送信するよう構成されている、
付記１又は２に記載の無線端末装置。
【０１１２】
（付記４）
前記第１の無線パラメータは、前記無線端末装置および前記第２の無線端末が共に前記ネットワークに接続できない条件の場合に、前記ネットワークの支援無しで前記サイドリンク通信を行うためにも使用される、
付記３に記載の無線端末装置。
【０１１３】
（付記５）
前記第１の無線パラメータは、前記無線端末装置内に又は前記無線端末装置に結合されるUniversal Integrated Circuit Card（UICC）内に事前に設定されている、
付記３又は４に記載の無線端末装置。
【０１１４】
（付記６）
前記少なくとも１つのプロセッサは、同期信号を送信することを条件に、前記無線設定を送信するよう構成されている、
付記１〜５のいずれか１項に記載の無線端末装置。
【０１１５】
（付記７）
前記少なくとも１つのプロセッサは、前記無線端末装置が前記ネットワークのカバレッジ境界の近くにいる場合に、自発的に又は前記ネットワークの指示に従って前記同期信号を送信するよう構成されている、
付記６に記載の無線端末装置。
【０１１６】
（付記８）
前記少なくとも１つのプロセッサは、前記ネットワークから送信される無線信号の受信品質が閾値を下回る場合に自発的に前記同期信号を送信するよう構成されている、
付記６に記載の無線端末装置。
【０１１７】
（付記９）
前記少なくとも１つのプロセッサは、前記無線設定に従って決定された前記サイドリンク通信に使用される周波数リソースを前記ネットワークに通知するよう構成されている、
付記１〜８のいずれか１項に記載の無線端末装置。
【０１１８】
（付記１０）
前記要求は、前記ネットワークに接続できない条件の第２の無線端末とのサイドリンク通信を要求する、
付記１〜９のいずれか１項に記載の無線端末。
【０１１９】
（付記１１）
前記要求は、前記ネットワーク内の基地局、前記ネットワーク内のモビリティ管理ノード、Operation Administration and Maintenance（OAM）サーバ、又はネットワークに支援された近接サービス通信を制御する制御エンティティから前記無線端末装置に送信される、
付記１〜１０のいずれか１項に記載の無線端末装置。
【０１２０】
（付記１２）
無線端末装置であって、
少なくとも１つの無線トランシーバと、
前記少なくとも１つの無線トランシーバに結合された少なくとも１つのプロセッサと、
を備え、
前記少なくとも１つのプロセッサは、ネットワークに接続できない条件の場合に、前記ネットワークと接続可能な条件にある第１の無線端末から送信される無線設定を受信するよう構成され、ここで、前記無線設定は、前記ネットワークに接続できない条件の前記無線端末装置が前記ネットワークと接続可能な条件にある前記第１の無線端末とサイドリンク通信を行うための無線パラメータを含み、前記サイドリンク通信は、ダイレクト・ディスカバリ及びダイレクト通信の少なくとも一方を含み、
前記少なくとも１つのプロセッサは、前記第１の無線端末との間で前記無線設定に従う前記サイドリンク通信を前記少なくとも１つの無線トランシーバを介して行うよう構成されている、
無線端末装置。
【０１２１】
（付記１３）
前記少なくとも１つのプロセッサは、前記ネットワークと接続できない条件になりそうであることを検出した場合に、周辺の無線端末によって送信される第１の信号の受信を試行するよう構成され、
前記少なくとも１つのプロセッサは、前記第１の信号の受信に成功した場合に、前記第１の信号の識別子又は前記第１の信号の送信元の無線端末を示す識別子を前記ネットワークに報告するよう構成されている、
付記１２に記載の無線端末装置。
【０１２２】
（付記１４）
前記少なくとも１つのプロセッサは、事前設定された第１の無線パラメータに従って前記無線設定を受信するよう構成されている、
付記１２又は１３に記載の無線端末装置。
【０１２３】
（付記１５）
前記少なくとも１つのプロセッサは、事前設定された第１の無線パラメータに従って前記第１の信号を受信するよう構成されている、
付記１３に記載の無線端末装置。
【０１２４】
（付記１６）
前記第１の無線パラメータは、前記無線端末装置および前記第１の無線端末が共に前記ネットワークに接続できない条件の場合に、前記ネットワークの支援無しで前記サイドリンク通信を行うためにも使用される、
付記１４又は１５に記載の無線端末装置。
【０１２５】
（付記１７）
前記第１の無線パラメータは、前記無線端末装置内に又は前記無線端末装置に結合されるUniversal Integrated Circuit Card（UICC）内に事前に設定されている、
付記１４〜１６のいずれか１項に記載の無線端末装置。
【０１２６】
（付記１８）
前記少なくとも１つのプロセッサは、前記第１の無線端末から送信される同期信号の受信に成功した場合、前記無線設定を受信するよう構成されている、
付記１２〜１７のいずれか１項に記載の無線端末装置。
【０１２７】
（付記１９）
前記同期信号は、前記第１の無線端末が前記ネットワークのカバレッジ境界の近くにいる場合に、自発的に又は前記ネットワークの指示に従って送信される、
付記１８に記載の無線端末装置。
【０１２８】
（付記２０）
ネットワーク内に配置されるネットワーク装置であって、
メモリと、
前記メモリに結合された少なくとも１つのプロセッサと、
を備え、
前記少なくとも１つのプロセッサは、前記ネットワークと接続可能な条件にある第１の無線端末に対して要求および無線設定を送信するよう構成され、
前記要求は、前記無線設定の送信を前記第１の無線端末に要求し、
前記無線設定は、前記ネットワークに接続できない条件の第２の無線端末とのサイドリンク通信のための無線パラメータを含み、
前記サイドリンク通信は、ダイレクト・ディスカバリ及びダイレクト通信の少なくとも一方を含む、
ネットワーク装置。
【０１２９】
（付記２１）
前記少なくとも１つのプロセッサは、前記サイドリンク通信の起動が可能であるか否かを示す返信を前記第１の無線端末から受信するよう構成されている、
付記２０に記載のネットワーク装置。
【０１３０】
（付記２２）
前記要求は、前記第１の無線端末内に事前設定された第１の無線パラメータに従って前記無線設定を送信することを前記第１の無線端末に要求する、
付記２０又は２１に記載のネットワーク装置。
【０１３１】
（付記２３）
前記第１の無線パラメータは、前記無線端末装置および前記第２の無線端末が共に前記ネットワークに接続できない条件の場合に、前記ネットワークの支援無しで前記サイドリンク通信を行うためにも使用される、
付記２２に記載のネットワーク装置。
【０１３２】
（付記２４）
前記第１の無線パラメータは、前記無線端末装置内に又は前記無線端末装置に結合されるUniversal Integrated Circuit Card（UICC）内に事前に設定されている、
付記２２又は２３に記載のネットワーク装置。
【０１３３】
（付記２５）
第１の無線端末によって行われる方法であって、
ネットワークと接続可能な条件において前記ネットワークからの要求および無線設定を受信すること、ここで、前記要求は、前記無線設定の送信を要求し、前記無線設定は、前記ネットワークに接続できない条件の第２の無線端末とのサイドリンク通信のための無線パラメータを含み、前記サイドリンク通信は、ダイレクト・ディスカバリ及びダイレクト通信の少なくとも一方を含み、及び
前記無線設定を送信すること、
を備える、方法。
【０１３４】
（付記２６）
前記サイドリンク通信の起動が可能であるか否かを前記ネットワークに返信することをさらに備える、
付記２５に記載の方法。
【０１３５】
（付記２７）
前記送信することは、事前設定された第１の無線パラメータに従って前記無線設定を送信することを含む、
付記２５又は２６に記載の方法。
【０１３６】
（付記２８）
前記第１の無線パラメータは、前記第１の無線端末および前記第２の無線端末が共に前記ネットワークに接続できない条件の場合に、前記ネットワークの支援無しで前記サイドリンク通信を行うためにも使用される、
付記２７に記載の方法。
【０１３７】
（付記２９）
前記第１の無線パラメータは、前記第１の無線端末内に又は前記第１の無線端末に結合されるUniversal Integrated Circuit Card（UICC）内に事前に設定されている、
付記２７又は２８に記載の方法。
【０１３８】
（付記３０）
前記送信することは、同期信号を送信することを条件に、前記無線設定を送信することを含む、
付記２５〜２９のいずれか１項に記載の方法。
【０１３９】
（付記３１）
前記第１の無線端末が前記ネットワークのカバレッジ境界の近くにいる場合に、自発的に又は前記ネットワークの指示に従って前記同期信号を送信することをさらに備える、
付記３０に記載の方法。
【０１４０】
（付記３２）
前記無線設定を受信した前記第２の無線端末との間で前記無線設定に従う前記サイドリンク通信を行うことをさらに備える、
付記２５〜３１のいずれか１項に記載の方法。
【０１４１】
（付記３３）
前記無線設定に従って決定された前記サイドリンク通信に使用される周波数リソースを前記ネットワークに通知することをさらに備える、
付記３２に記載の方法。
【０１４２】
（付記３４）
第２の無線端末によって行われる方法であって、
ネットワークに接続できない条件の場合に、前記ネットワークと接続可能な条件にある第１の無線端末から送信される無線設定を受信すること、ここで、前記無線設定は、前記ネットワークに接続できない条件の前記第２の無線端末が前記ネットワークと接続可能な条件にある前記第１の無線端末とサイドリンク通信を行うための無線パラメータを含み、前記サイドリンク通信は、ダイレクト・ディスカバリ及びダイレクト通信の少なくとも一方を含み、及び
前記第１の無線端末との間で前記無線設定に従う前記サイドリンク通信を行うこと、
を備える、方法。
【０１４３】
（付記３５）
前記ネットワークと接続できない条件になりそうであることを検出した場合に、周辺の無線端末によって送信される第１の信号の受信を試行すること、及び
前記第１の信号の受信に成功した場合に、前記第１の信号の識別子又は前記第１の信号の送信元の無線端末を示す識別子を前記ネットワークに報告すること、
をさらに備える、
付記３４に記載の方法。
【０１４４】
（付記３６）
前記受信することは、事前設定された第１の無線パラメータに従って前記無線設定を受信することを含む、
付記３４又は３５に記載の方法。
【０１４５】
（付記３７）
前記試行することは、事前設定された第１の無線パラメータに従って前記第１の信号の受信を試行することを含む、
付記３５に記載の方法。
【０１４６】
（付記３８）
前記第１の無線パラメータは、前記第１の無線端末および前記第２の無線端末が共に前記ネットワークに接続できない条件の場合に、前記ネットワークの支援無しで前記サイドリンク通信を行うためにも使用される、
付記３６又は３７に記載の方法。
【０１４７】
（付記３９）
前記第１の無線パラメータは、前記第２の無線端末内に又は前記第２の無線端末に結合されるUniversal Integrated Circuit Card（UICC）内に事前に設定されている、
付記３６〜３８のいずれか１項に記載の方法。
【０１４８】
（付記４０）
前記受信することは、前記第１の無線端末から送信される同期信号の受信に成功した場合、前記無線設定を受信することを含む、
付記３４〜３９のいずれか１項に記載の方法。
【０１４９】
（付記４１）
前記同期信号は、前記第１の無線端末が前記ネットワークのカバレッジ境界の近くにいる場合に、自発的に又は前記ネットワークの指示に従って送信される、
付記４０に記載の方法。
【０１５０】
（付記４２）
ネットワーク内に配置されるネットワーク装置によって行われる方法であって、
前記ネットワークと接続可能な条件にある第１の無線端末に対して要求および無線設定を送信すること、ここで、前記要求は、前記無線設定の送信を前記第１の無線端末に要求し、前記無線設定は、前記ネットワークに接続できない条件の第２の無線端末とのサイドリンク通信のための無線パラメータを含み、前記サイドリンク通信は、ダイレクト・ディスカバリ及びダイレクト通信の少なくとも一方を含む、
方法。
【０１５１】
（付記４３）
第１の無線端末によって行われる方法をコンピュータに行わせるためのプログラムであって、
前記方法は、
ネットワークと接続可能な条件において前記ネットワークからの要求および無線設定を受信すること、ここで、前記要求は、前記無線設定の送信を要求し、前記無線設定は、前記ネットワークに接続できない条件の第２の無線端末とのサイドリンク通信のための無線パラメータを含み、前記サイドリンク通信は、ダイレクト・ディスカバリ及びダイレクト通信の少なくとも一方を含み、
前記無線設定を送信すること、及び
前記無線設定を受信した前記第２の無線端末との間で前記無線設定に従う前記サイドリンク通信を行うこと、
を備える、
プログラム。
【０１５２】
（付記４４）
第２の無線端末によって行われる方法をコンピュータに行わせるためのプログラムであって、
前記方法は、
ネットワークに接続できない条件の場合に、前記ネットワークと接続可能な条件にある第１の無線端末から送信される無線設定を受信すること、ここで、前記無線設定は、前記ネットワークに接続できない条件の前記第２の無線端末が前記ネットワークと接続可能な条件にある前記第１の無線端末とサイドリンク通信を行うための無線パラメータを含み、前記サイドリンク通信は、ダイレクト・ディスカバリ及びダイレクト通信の少なくとも一方を含み、及び
前記第１の無線端末との間で前記無線設定に従う前記サイドリンク通信を行うこと、
を備える、
プログラム。
【０１５３】
（付記４５）
ネットワーク内に配置されるネットワーク装置によって行われる方法をコンピュータに行わせるためのプログラムであって、
前記方法は、前記ネットワークと接続可能な条件にある第１の無線端末に対して要求および無線設定を送信することを含み、
前記要求は、前記無線設定の送信を前記第１の無線端末に要求し、
前記無線設定は、前記ネットワークに接続できない条件の第２の無線端末とのサイドリンク通信のための無線パラメータを含み、
前記サイドリンク通信は、ダイレクト・ディスカバリ及びダイレクト通信の少なくとも一方を含む、
プログラム。
【０１５４】
この出願は、２０１５年３月６日に出願された日本出願特願２０１５−０４５１８５を基礎とする優先権を主張し、その開示の全てをここに取り込む。
【符号の説明】
【０１５５】
１  リレーUser Equipment (UE)
２  リモートUE
３  Evolved Universal Terrestrial Radio Access Network (E-UTRAN)
４  Evolved Packet Core (EPC)
５  Proximity-based Services (ProSe) functionエンティティ
６  ProSeアプリケーションサーバ
３１  evolved NodeB (eNodeB)
３２  セル
１００  Public Land Mobile Network (PLMN)
１０２  UE間ダイレクトインタフェース（サイドリンク）
【図１】
2016142974.tif 000003
【図２】
2016142974.tif 000004
【図３】
2016142974.tif 000005
【図４】
2016142974.tif 000006
【図５】
2016142974.tif 000007
【図６】
2016142974.tif 000008
【図７】
2016142974.tif 000009
【図８】
2016142974.tif 000010
【図９】
2016142974.tif 000011
【図１０】
2016142974.tif 000012
【図１１】
2016142974.tif 000013
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
少なくとも１つの無線トランシーバと、
前記少なくとも１つの無線トランシーバに結合された少なくとも１つのプロセッサと、
を備え、
前記少なくとも１つのプロセッサは、ネットワークと接続可能な条件において前記ネットワークからの要求および無線設定を前記少なくとも１つの無線トランシーバを介して受信するよう構成され、ここで、前記要求は、前記無線設定の送信を要求し、前記無線設定は、前記ネットワークに接続できない条件の第２の無線端末とのサイドリンク通信のための無線パラメータを含み、前記サイドリンク通信は、ダイレクト・ディスカバリ及びダイレクト通信の少なくとも一方を含み、
前記少なくとも１つのプロセッサは、前記無線設定を前記少なくとも１つの無線トランシーバを介して送信するよう構成され、
前記少なくとも１つのプロセッサは、前記無線設定を受信した前記第２の無線端末との間で前記無線設定に従う前記サイドリンク通信を前記少なくとも１つの無線トランシーバを介して実行できるよう構成されている、
無線端末装置。
【請求項２】
前記少なくとも１つのプロセッサは、前記サイドリンク通信の起動が可能であるか否かを前記ネットワークに返信するよう構成されている、
請求項１に記載の無線端末装置。
【請求項３】
前記少なくとも１つのプロセッサは、同期信号を送信することを条件に、前記無線設定を送信するよう構成されている、
請求項１又は２に記載の無線端末装置。
【請求項４】
無線端末装置であって、
少なくとも１つの無線トランシーバと、
前記少なくとも１つの無線トランシーバに結合された少なくとも１つのプロセッサと、
を備え、
前記少なくとも１つのプロセッサは、ネットワークに接続できない条件の場合に、前記ネットワークと接続可能な条件にある第１の無線端末から送信される無線設定を受信するよう構成され、ここで、前記無線設定は、前記ネットワークに接続できない条件の前記無線端末装置が前記ネットワークと接続可能な条件にある前記第１の無線端末とサイドリンク通信を行うための無線パラメータを含み、前記サイドリンク通信は、ダイレクト・ディスカバリ及びダイレクト通信の少なくとも一方を含み、
前記少なくとも１つのプロセッサは、前記第１の無線端末との間で前記無線設定に従う前記サイドリンク通信を前記少なくとも１つの無線トランシーバを介して行うよう構成されている、
無線端末装置。
【請求項５】
前記少なくとも１つのプロセッサは、前記ネットワークと接続できない条件になりそうであることを検出した場合に、周辺の無線端末によって送信される第１の信号の受信を試行するよう構成され、
前記少なくとも１つのプロセッサは、前記第１の信号の受信に成功した場合に、前記第１の信号の識別子又は前記第１の信号の送信元の無線端末を示す識別子を前記ネットワークに報告するよう構成されている、
請求項４に記載の無線端末装置。
【請求項６】
前記少なくとも１つのプロセッサは、前記第１の無線端末から送信される同期信号の受信に成功した場合、前記無線設定を受信するよう構成されている、
請求項４又は５に記載の無線端末装置。
【請求項７】
ネットワーク内に配置されるネットワーク装置であって、
メモリと、
前記メモリに結合された少なくとも１つのプロセッサと、
を備え、
前記少なくとも１つのプロセッサは、前記ネットワークと接続可能な条件にある第１の無線端末に対して要求および無線設定を送信するよう構成され、
前記要求は、前記無線設定の送信を前記第１の無線端末に要求し、
前記無線設定は、前記ネットワークに接続できない条件の第２の無線端末とのサイドリンク通信のための無線パラメータを含み、
前記サイドリンク通信は、ダイレクト・ディスカバリ及びダイレクト通信の少なくとも一方を含む、
ネットワーク装置。
【請求項８】
第１の無線端末によって行われる方法であって、
ネットワークと接続可能な条件において前記ネットワークからの要求および無線設定を受信すること、ここで、前記要求は、前記無線設定の送信を要求し、前記無線設定は、前記ネットワークに接続できない条件の第２の無線端末とのサイドリンク通信のための無線パラメータを含み、前記サイドリンク通信は、ダイレクト・ディスカバリ及びダイレクト通信の少なくとも一方を含み、及び
前記無線設定を送信すること、
を備える、方法。
【請求項９】
前記サイドリンク通信の起動が可能であるか否かを前記ネットワークに返信することをさらに備える、
請求項８に記載の方法。
【請求項１０】
第１の無線端末によって行われる方法をコンピュータに行わせるためのプログラムであって、
前記方法は、
ネットワークと接続可能な条件において前記ネットワークからの要求および無線設定を受信すること、ここで、前記要求は、前記無線設定の送信を要求し、前記無線設定は、前記ネットワークに接続できない条件の第２の無線端末とのサイドリンク通信のための無線パラメータを含み、前記サイドリンク通信は、ダイレクト・ディスカバリ及びダイレクト通信の少なくとも一方を含み、
前記無線設定を送信すること、及び
前記無線設定を受信した前記第２の無線端末との間で前記無線設定に従う前記サイドリンク通信を行うこと、
を備える、
プログラム。
【国際調査報告】
2016142974.tif 000014
2016142974.tif 000015
2016142974.tif 000016
2016142974.tif 000017